(57)【要約】【課題】油圧伝動装置との間でオイルを循環させるオイルタンクを、オイルを貯留する以外の用途で使用できる作業車両を提供すること。【解決手段】トウモロコシ収穫機１（作業車両）は、油圧伝動装置１８〜２５とオイルタンク１３とを備える走行車体２を有する。トウモロコシ収穫機１では、油圧伝動装置１８〜２５とオイルタンク１３との間でオイルを循環させている。オイルタンク１３は、走行車体２の幅方向Ｙの第２方向Ｙ２の端部分に配置され、オイルタンク１３の上面１３ａは、作業者が乗ることが可能な作業用ステップ６０となっている。【選択図】図１
2017093401.tif 000002
【特許請求の範囲】
【請求項１】
油圧伝動装置とオイルタンクとを備える走行車体を有し、前記油圧伝動装置と前記オイルタンクとの間でオイルを循環させている作業車両において、
前記オイルタンクは、前記走行車体の幅方向の一方側の端部分に配置され、
前記オイルタンクの上面は、作業者が乗ることが可能な作業用ステップであることを特徴とする作業車両。
【請求項２】
請求項１において、
前記オイルタンクは、直方体形状であり、前記走行車体の前後方向に長手方向を向けて配置されていることを特徴とする作業車両。
【請求項３】
請求項２において、
前記オイルタンクは、前記油圧伝動装置へオイルを供給するオイル供給口と、前記油圧伝動装置から戻るオイルを当該オイルタンクに導入するオイル導入口と、前記オイルタンクの底面から上方に突出して当該オイルタンクの内部の下側部分を前後に仕切る仕切り壁と、を備え、
前記オイル供給口と前記オイル導入口とは、前記前後方向で離間する位置に設けられ、
前記仕切り壁は、前記前後方向で前記オイル供給口と前記オイル導入口との間に位置することを特徴とする作業車両。
【請求項４】
請求項２または３において、
前記オイルタンクは、前記幅方向における幅寸法が高さ寸法よりも長いことを特徴とする作業車両。
【請求項５】
請求項１ないし４のうちのいずれかの項において、
前記オイルタンクの上面は、スベリ止めを備えることを特徴とする作業車両。
【請求項６】
請求項１ないし５のうちのいずれかの項において、
前記走行車体は、エンジンを備え、
前記エンジンの駆動力は、前記油圧伝動装置を介して、前記走行車体２の車輪に伝達されることを特徴とする作業車両。
【請求項７】
請求項１ないし５のうちのいずれかの項において、
前記走行車体は、エンジンと、トウモロコシの茎を刈り取って茎と果実を分離する刈取り装置と、を備え、
前記エンジンの駆動力は、前記油圧伝動装置を介して、前記刈取り装置に伝達されることを特徴とする作業車両。
【発明の詳細な説明】
【技術分野】
【０００１】
本発明は、油圧伝動装置とオイルタンクを備え、油圧伝動装置とオイルタンクの間でオイルを循環させている作業車両に関する。
【背景技術】
【０００２】
トウモロコシ収穫機は、例えば、特許文献１に記載されているように４輪の走行車体を有する。走行車体は、トウモロコシの茎を刈り取って茎と果実を分離する刈取り装置と、刈取り装置の後方で当該刈取り装置から排出される果実を後方に搬送するコンベアと、コンベアから受け渡される果実を貯留するバケットを備える。
【先行技術文献】
【特許文献】
【０００３】
【特許文献１】特開２０１４−２０９８８４号公報
【発明の概要】
【発明が解決しようとする課題】
【０００４】
トウモロコシ収穫機のような作業車両の中には、エンジンの駆動力を、油圧伝動装置（Ｈｙｄｒｏ  Ｓｔａｔｉｃ  Ｔｒａｎｓｍｉｓｓｉｏｎ）を介して、車輪や各装置に伝達するものがある。すなわち、作業車両の中には、エンジンの駆動力によって油圧ポンプを動作させてオイルを油圧モーターに供給し、オイルの流体エネルギーによって油圧モーターを駆動し、油圧モーターからの出力を車輪や各装置に伝達するものがある。このような作業車両は、オイルタンクを備え、オイルタンクと油圧伝動装置との間でオイルを循環させている。
【０００５】
ここで、油圧伝動装置を備える作業車両では大量のオイルが必要となるので、比較的大きなオイルタンクを備える必要がある。しかし、オイルタンクにはオイルを貯留する以外の用途がなく、オイルタンクを他の用途に利用することも提案されていない。
【０００６】
本発明の課題は、このような点に鑑みて、オイルタンクを、オイルを貯留する以外の用途で使用できる作業車両を提供することにある。
【課題を解決するための手段】
【０００７】
上記の課題を解決するために、本発明の作業車両は、油圧伝動装置とオイルタンクとを備える走行車体を有し、前記油圧伝動装置と前記オイルタンクとの間でオイルを循環させている作業車両において、前記オイルタンクは、前記走行車体の幅方向の一方側の端部分に配置され、前記オイルタンクの上面は、作業者が乗ることが可能な作業用ステップであることを特徴とする。
【０００８】
本発明によれば、オイルタンクの上面が作業用ステップとなっている。従って、作業車両の整備を行う場合などに、作業者はオイルタンクに載って作業することができる。ここで、オイルタンクは走行車体の幅方向の一方の端部分に配置されているので、オイルタンクの上面に載った作業者は、走行車体における幅方向の中央部分の整備を行うことが容易となる。また、オイルタンクの上面はステップとなっており、オイルタンクは走行車体の幅方向の一方の端部分に配置されている。従って、オイルタンクは外気に触れやすい。よって、オイルタンクから油圧伝動装置を経由して再びオイルタンクに戻るオイルの温度が上昇している場合などに、オイルタンクにおいてオイルの熱を放出できる。
【０００９】
本発明において、前記オイルタンクは、直方体形状であり、前記走行車体の前後方向に長手方向を向けて配置されているものとすることができる。このようにすれば、作業者は、オイルタンク上で前後方向に移動しながら整備作業などを行うことができる。
【００１０】
この場合において、前記オイルタンクは、前記油圧伝動装置へオイルを供給するオイル供給口と、前記油圧伝動装置から戻るオイルを当該オイルタンクに導入するオイル導入口と、前記オイルタンクの底面から上方に突出して当該オイルタンクの内部の下側部分を前後に仕切る仕切り壁と、を備え、前記オイル供給口と前記オイル導入口とは、前記前後方向で離間する位置に設けられ、前記仕切り壁は、前記前後方向で前記オイル供給口と前記オイル導入口との間に位置するものとすることができる。このようにすれば、オイルタンクの前後方向に長い形状を利用して、オイル供給口とオイル導入口との間を離間させることができる。また、オイル供給口とオイル導入口の間に仕切り壁を設けることにより、オイル導入口から導入されたオイルをオイルタンク内で滞留させた後に、オイル供給口から油圧伝動装置に向かってオイルを供給できる。従って、オイルタンクから油圧伝動装置を経由して再びオイルタンクに戻るオイルの温度が上昇している場合に、オイルタンクにおいてその熱を放出しやすい。
【００１１】
前記オイルタンクは、前記幅方向における幅寸法が高さ寸法よりも長いものとすることができる。このようにすれば、オイルタンクの容量が小さい場合でも作業者が乗る作業用ステップの面積を広くすることができる。
【００１２】
本発明において、前記オイルタンクの上面は、スベリ止めを備えることが望ましい。このようにすれば、作業用ステップに載った作業者がオイルタンク上で滑ることを防止できるので、安全である。
【００１３】
本発明において、前記オイルタンクには、手摺りが取り付けられているものとすることができる。このようにすれば、作業用ステップに載った作業者が手摺りに掴まった状態で作業を行うことができる。
【００１４】
本発明において、前記走行車体は、エンジンを備え、前記エンジンの駆動力は、前記油圧伝動装置を介して、前記走行車体の車輪に伝達されるものとすることができる。すなわち、作業車両は、エンジンの駆動力によって油圧ポンプを動作させてオイルを油圧モーターに供給し、オイルによって油圧モーターを駆動して、油圧モーターからの出力を車輪に伝達して、走行するものとすることができる。
【００１５】
本発明において、前記走行車体は、エンジンと、トウモロコシの茎を刈り取って茎と果実を分離する刈取り装置と、を備え、前記エンジンの駆動力は、前記油圧伝動装置を介して、前記刈取り装置に伝達されるものとすることができる。すなわち、本発明の作業車両はトウモロコシ収穫機とすることができる。
【発明の効果】
【００１６】
本発明によれば、オイルタンクの上面を作業用ステップとして利用できる。
【図面の簡単な説明】
【００１７】
【図１】本発明を適用したトウモロコシ収穫機の斜視図である。
【図２】トウモロコシ収穫機の駆動系の概略ブロック図である。
【図３】トウモロコシ収穫機の平面図および側面図である。
【図４】オイルタンクの斜視図である。
【図５】上板を取り除いたオイルタンクの斜視図である。
【発明を実施するための形態】
【００１８】
以下に、図面を参照して、本発明を適用した作業車両の実施の形態であるトウモロシ収穫機を説明する。
【００１９】
（全体構成）
図１は本発明を適用したトウモロコシ収穫機の斜視図である。図１（ａ）はトウモロコシ収穫機を前方の上方から見た場合の斜視図であり、図１（ｂ）はトウモロコシ収穫機を後方の上方から見た場合の斜視図である。図１に示すように、本例のトウモロコシ収穫機１は、４輪の走行車体２を有する。以下の説明では、トウモロコシ収穫機１（走行車体２）が直進する際の走行方向を前後方向Ｘ、地面に沿った方向で前後方向Ｘと直交する方向を幅方向Ｙ、前後方向Ｘおよび幅方向Ｙと直交する方向を上下方向Ｚとする。また、幅方向Ｙの第１方向をＹ１、第１方向とは反対方向を第２方向Ｙ２とする。
【００２０】
走行車体２は前輪３よりも前方にトウモロコシを収穫する刈取り装置４を備える。また、走行車体２はその後端部分にバケット５を備える。刈取り装置４とバケット５の間にはコンベア６と皮剥き装置７が前方から後方に向かってこの順番に配置されている。皮剥き装置７およびバケット５は後輪８の上方に位置する。
【００２１】
トウモロコシは刈取り装置４によって茎ごと刈り取られる。そして、刈取り装置４によって茎と果実に分離される。その後、トウモロコシの果実はコンベア６によって後方に運ばれて皮剥き装置７に投入される。そして、トウモロコシの果実は、皮剥き装置７によって後方に搬送されながら、皮剥き装置７を通過する間に皮が剥かれた状態となる。皮が剥かれた状態の果実は、皮剥き装置７から後方に排出されてバケット５に投入される。
【００２２】
また、走行車体２は、刈取り装置４とバケット５の間に、作業者が乗車するキャビン９と、エンジン１０を搭載するエンジン搭載部１１を備える。キャビン９は前輪３の上方に位置する。エンジン搭載部１１は前輪３と後輪８の間に位置する。キャビン９の幅方向Ｙの両側には、作業者がキャビン９に乗り込む際に足を掛けるキャビンステップ９ａ、９ｂが設けられている。
【００２３】
図１（ａ）に示すように、エンジン搭載部１１は、第１方向Ｙ１の端部分にエンジン１０を冷却するためのラジエター１２を備える。キャビン９とラジエター１２との間には梯子１４が設けられている。梯子１４の上端は第１方向Ｙ１の側に位置するキャビンステップ９ａに接続されている。また、エンジン搭載部１１は、図１（ｂ）に示すように、第２方向Ｙ２の端部分にオイルタンク１３を備える。第１方向Ｙ１の側に位置するキャビンステップ９ａの後端部分とオイルタンク１３の前端部分との間には、キャビン９の背面に沿って幅方向Ｙに一定幅で延びる作業用通路１５が設けられている。さらに、走行車体２はバケット５の下方であって後輪８の後方にフレールモア１６を備える。
【００２４】
ここで、エンジン搭載部１１には複数の油圧伝動装置１８〜２５が搭載されている。図２はトウモロコシ収穫機１の駆動系の概略ブロック図である。本例のトウモロコシ収穫機１では、エンジン１０の駆動力は、第１油圧伝動装置２１を介して、車輪３、８に伝達される。また、エンジン１０の駆動力は、第２油圧伝動装置２２を介して、刈取り装置４に伝達される。さらに、エンジン１０の駆動力は、第３油圧伝動装置２３を介して、コンベア６に伝達される。また、エンジン１０の駆動力は、第４油圧伝動装置２４を介して、皮剥き装置７に伝達される。さらに、エンジン１０の駆動力は、第５油圧伝動装置２５を介して、フレールモア１６に伝達される。
【００２５】
また、本例のトウモロコシ収穫機１では、エンジン１０の駆動力は、第６油圧伝動装置１８を介して車輪（後輪８）の方向を変化させるステアリング装置３２に伝達される。さ
らに、エンジン１０の駆動力は、第７油圧伝動装置１９を介して刈取り装置４を上下させる昇降装置３３に伝達される。また、エンジン１０の駆動力は、第８油圧伝動装置２０を介してフレールモア１６を上下させる昇降装置３４に伝達される。
【００２６】
各油圧伝動装置２１〜２５は、閉回路２６で接続された油圧ポンプ２７と油圧モーター２８を備える。各油圧伝動装置２１〜２５では、エンジン１０の駆動力によって油圧ポンプ２７を動作させてオイルを油圧モーター２８に供給する。油圧モーター２８は油圧ポンプ２７から供給されるオイルの流体エネルギーにより駆動される。そして、各油圧伝動装置２１〜２５の油圧モーター２８からの出力が、それぞれ、車輪３、８、刈取り装置４、コンベア６、皮剥き装置７およびフレールモア１６に伝達される。また、各油圧伝動装置１８〜２０は、閉回路２６で接続された油圧ポンプ２７と油圧シリンダ２９を備える。各油圧伝動装置１８〜２０では、エンジン１０の駆動力によって油圧ポンプ２７を動作させてオイルを油圧シリンダ２９に供給する。油圧シリンダ２９は油圧ポンプ２７から供給されるオイルの流体エネルギーにより駆動される。そして、各油圧伝動装置１８〜２０の油圧シリンダ２９からの出力が、それぞれ、ステアリング装置３２、刈取り装置４の昇降装置３３、フレールモア１６の昇降装置３４に伝達される。
【００２７】
また、トウモロコシ収穫機１では、オイルタンク１３と各油圧伝動装置１８〜２５との間でオイルを循環させている。すなわち、オイルタンク１３と各油圧伝動装置１８〜２５とはオイル循環路３１によって接続されている。オイルタンク１３から各油圧伝動装置１８〜２５に向かうオイル循環路３１のオイル供給配管３１ａは、油圧ポンプ２７と油圧モーター２８（油圧シリンダ２９）を接続する閉回路２６において油圧モーター２８（油圧シリンダ２９）から油圧ポンプ２７へオイルが流れる回路部分に接続されている。各油圧伝動装置１８〜２５からオイルタンク１３に向かうオイル循環路３１のオイル戻り配管３１ｂは、油圧ポンプ２７と油圧モーター２８（油圧シリンダ２９）を接続する閉回路２６において油圧ポンプ２７から油圧モーター２８（油圧シリンダ２９）へオイルが流れる回路部分に接続されている。
【００２８】
（オイルタンク）
図３（ａ）はトウモロコシ収穫機１を上方から見た場合の平面図であり、図３（ｂ）はトウモロコシ収穫機１を第２方向Ｙ２から見た場合の側面図である。図３（ｂ）では、キャビン９の風防と屋根、エンジン搭載部１１を第２方向Ｙ２から被う側板１１ａ、および、手摺りを省略して示す。図４（ａ）はオイルタンク１３を後方の斜め上方から見た場合の斜視図であり、図４（ｂ）はオイルタンク１３を前方の斜め下方から見た場合の斜視図である。図５は上板を取り除いたオイルタンク１３を後方の斜め上方から見た場合の斜視図である。
【００２９】
図３（ａ）に示すように、オイルタンク１３は走行車体２のエンジン搭載部１１の第２方向Ｙ２の端部分に配置されている。また、図３（ｂ）に示すように、オイルタンク１３は、その上面１３ａがキャビンステップ９ａ、９ｂよりも僅かに高い位置に配置されている。なお、オイルタンク１３は、その上面１３ａの高さ位置が、走行車体２に搭載された全ての油圧伝動装置１８〜２５よりも高い位置にある。従って、オイルタンク１３から、各油圧伝動装置１８〜２５にオイルを供給することが容易である。
【００３０】
オイルタンク１３は直方体形状である。図４に示すように、オイルタンク１３は、上下方向で対向する上板３５および底板３６と、幅方向Ｙで対向する一対の側板３７、３８と、上板３５、底板３６、一対の側板３７、３８の前端縁を接続する前板３９と、上板３５、底板３６、一対の側板３７、３８の後端縁を接続する後板４０を備える。オイルタンク１３は、その長手方向を前後方向Ｘに向けている。すなわち、オイルタンク１３は、前後方向Ｘの長さ寸法Ｌ１が幅寸法Ｌ２よりも長い。また、オイルタンク１３は、幅寸法Ｌ２
よりも高さ寸法Ｌ３が短い扁平な形状をしている。
【００３１】
オイルタンク１３は、上板３５の前端部分にオイル注入口４２を備える。また、オイルタンク１３は、上板３５の前側部分および後側部分に、それぞれ円形の掃除口４３、４４を備える。２つの掃除口４３、４４は前後方向Ｘで離間している。各掃除口４３、４４には蓋部材４５が着脱可能に取り付けられている。オイルタンク１３（上板３５）の上面１３ａにおける２つの掃除口４３、４４の間、および、前側の掃除口４３の前方にはスベリ止め４６が貼り付けられている。スベリ止め４６はシート状のゴムである。なお、スベリ止めは、シート状のゴムの代わりに、スベリ止めを形成した金属板をオイルタンク１３の上にボルトなどで固定しても良い。
【００３２】
また、オイルタンク１３は、第１方向Ｙ１の側に位置する一方の側板３７の前側部分に、オイル戻り配管３１ｂを接続するオイル導入口４７を備える。さらに、オイルタンク１３は底板３６の後側部分に、オイル供給配管３１ａを接続するオイル供給口４８を備える。
【００３３】
図５に示すように、オイルタンク１３の内部における前後方向Ｘの中央部分には、オイルタンク１３の底面（底板３６）から上方に突出して当該オイルタンク１３の内部の下側部分を前後に仕切る仕切り壁５１が設けられている。仕切り壁５１は幅方向Ｙに延びている。仕切り壁５１の上方はオイルが前後方向Ｘに流通可能なオイル通路５２である。オイル導入口４７は仕切り壁５１の前方に位置し、オイル供給口４８は仕切り壁５１の後方に位置する。オイル供給口４８には、それぞれストレーナ５３が取り付けられている。
【００３４】
また、オイルタンク１３の内部において、仕切り壁５１と底板３６の間には隙間５４が設けられている。オイル注入口４２を介してオイルがオイルタンク１３に注入される際には、オイルは隙間５４を流通する。これにより、オイルは仕切り壁５１の前側および後側で油面が同じ高さに維持されながら、オイルタンクに充填される。
【００３５】
また、図１に示すように、オイルタンク１３の一対の側板３７、３８には、それぞれ手摺り５５が取り付けられている。各手摺り５５は、前後方向Ｘで離間する位置で上下方向に平行に延びる一対の支柱５６と、２本の支柱５６の上端部分に架け渡されて前後方向Ｘに延びる上側手摺り棒５７と、２本の支柱５６の高さ方向の中央部分に架け渡された下側手摺り棒５８を備える。前側の支柱５６の下端部分は側板３７、３８の前側部分の上端部分に固定されている。後側の支柱５６の下端部分は、側板３７、３８の後側部分の上端部分に固定されている。各手摺り５５は、オイルタンク１３の幅方向Ｙの両側で、前後方向Ｘに平行に延びる。
【００３６】
ここで、オイルタンク１３の上面１３ａは、作業者が乗ることが可能な作業用ステップ６０となっている。すなわち、図３（ａ）に示すように、オイルタンク１３の上面１３ａは走行車体２を上方から見た場合に目視でき、その上面１３ａに作業者が乗ることができる。
【００３７】
また、図３（ｂ）に示すように、幅方向Ｙから見た場合に、オイルタンク１３（作業用ステップ６０）の前端部分は作業用通路１５と重なる位置にあるので、梯子１４を登った作業者は、作業用通路１５を経由してオイルタンク１３の上面１３ａ（作業用ステップ６０）に移動できる。さらに、オイルタンク１３は前後方向Ｘに長いので、オイルタンク１３に乗った作業者は、オイルタンク１３上を前後方向Ｘに移動できる。また、オイルタンク１３の前方には、キャビンステップ９ｂがあり、オイルタンク１３の上面１３ａ（作業用ステップ６０）とキャビンステップ９ｂとは、僅かな段差で隣り合う。従って、作業者は、キャビン９からキャビンステップ９ｂを介してオイルタンク１３の上面１３ａ（作業
用ステップ６０）に移動できる。
【００３８】
本例によれば、トウモロコシ収穫機１の整備を行う場合などに、作業者はオイルタンク１３に乗ることができる。ここで、オイルタンク１３は走行車体２の幅方向Ｙの一方の端部分に配置されており、コンベア６および皮剥き装置７、および、エンジン１０の側方に位置する。よって、オイルタンク１３に載った作業者は、走行車体２における幅方向Ｙの中央部分にあるコンベア６および皮剥き装置７の整備を行うことが容易である。
【００３９】
また、オイルタンク１３は長手方向を前後方向Ｘに向けて配置されているので、作業者はオイルタンク１３上で前後方向Ｘに移動しながら作業できる。さらに、オイルタンク１３の上面１３ａにはスベリ止め４６が設けられているので、作業用ステップ６０に載った作業者が安全である。また、オイルタンク１３には、手摺り５５が取り付けられているので、作業用ステップ６０に載った作業者は手摺り５５に掴まった状態で作業を行うことができる。
【００４０】
また、本例では、オイルタンク１３は幅寸法Ｌ２が高さ寸法Ｌ３よりも長い。従って、オイルタンク１３の容量が小さい場合でも、オイルタンク１３の上面１３ａ（作業用ステップ６０）の面積を広くできる。
【００４１】
さらに、本例では、オイルタンク１３の上面１３ａは走行車体２を上方から見た場合に目視できる。すなわち、オイルタンク１３の上面１３ａは上方に向かって露出している。また、オイルタンク１３は走行車体２の幅方向Ｙの一方の端部分に配置されているので、オイルタンク１３の側面は幅方向Ｙの一方側に向かって露出している。従って、オイルタンク１３から各油圧伝動装置１８〜２５を経由して再びオイルタンク１３に戻るオイルの温度が上昇している場合などに、オイルタンク１３においてオイルの熱を放出できる。
【００４２】
また、オイルタンク１３は前後方向Ｘに長いので、オイルタンク１３の前側にオイル供給口４８を設け、オイルタンク１３の後側にオイル導入口４７を設けることにより、オイル供給口４８とオイル導入口４７との間を離間させることができる。さらに、オイルタンク１３がオイル供給口４８とオイル導入口４７の間に仕切り壁５１を備えるので、オイル導入口４７から導入されたオイルをオイルタンク１３内で滞留させた後に、オイル供給口４８から各油圧伝動装置１８〜２５に向かってオイルを供給できる。従って、オイルタンク１３から各油圧伝動装置１８〜２５を経由して再びオイルタンク１３に戻るオイルの温度が上昇している場合に、オイルタンク１３においてその熱を放出しやすい。
【００４３】
なお、上記の例では、オイルタンク１３は比較的大きな容量を備えるものであるが、オイルタンク１３の容量が小さい場合、すなわち、オイルタンク１３が小さい場合でも、その上面を作業用ステップとすれば、作業者はオイルタンク１３に足を掛けて整備作業などを行うことができる。
【００４４】
また、オイルタンク１３に替えて、エンジン１０に供給する燃料を貯留している燃料タンクを上方から見た場合に上面を見ることができる位置に配置し、燃料タンクの上面を作業用ステップとすることもできる。
【符号の説明】
【００４５】
１・・・トウモロコシ収穫機（作業車両）
２・・・走行車体
３・８・・・車輪
４・・・刈取り装置
１０・・・エンジン
１３・・・オイルタンク
１３ａ・・・上面
１８〜２５・・・油圧伝動装置
４７・・・オイル導入口
４８・・・オイル供給口
５１・・・仕切り壁
６０・・・作業用ステップ
Ｌ２・・・オイルタンクの幅寸法
Ｌ３・・・オイルタンクの高さ寸法
Ｘ・・・前後方向
Ｙ・・・幅方向
【図１】
2017093401.tif 000003
【図２】
2017093401.tif 000004
【図３】
2017093401.tif 000005
【図４】
2017093401.tif 000006
【図５】
2017093401.tif 000007